(57)【要約】【課題】  温度変化の体感による感覚的演出効果を行わせることにより、より斬新な演出効果を奏することができる遊技機を提供する。【解決手段】  所定の条件成立により遊技媒体の払出を行う遊技機において、遊技者が温度変化を体感可能とすべくペルチェ効果を利用して所望の温度に調整可能な温度調整手段１９と、所定の条件成立に基づいて温度調整手段１９の温度調整を制御する温度制御基板１７とを備え、特に温度調整手段１９を遊技機としてのパチンコ遊技機におけるハンドル８内に具備したものである。【選択図】図３
2005168824.tif 000002
【特許請求の範囲】
【請求項１】
所定の条件成立により遊技媒体の払出を行う遊技機において、
遊技者が温度変化を体感可能とすべくペルチェ効果を利用して所望の温度に調整可能な温度調整手段と、
所定の条件成立に基づいて前記温度調整手段の温度調整を制御する温度制御手段と、
を備えたことを特徴とする遊技機。
【請求項２】
前記温度調整手段の温度変化を伝達可能な温度体感部を具備するとともに、該温度体感部は遊技者が触れることが可能な部位に配設されたものであることを特徴とする請求項１記載の遊技機。
【請求項３】
前記温度体感部が銅から成ることを特徴とする請求項２記載の遊技機。
【請求項４】
前記温度調整手段は、遊技者が操作可能な操作入力手段の内部に配設されたことを特徴とする請求項１〜請求項３のいずれか１つに記載の遊技機。
【請求項５】
前記温度調整手段の温度を検出する温度検出手段と、
該温度検出手段により検出された温度が設定値以外となった場合に前記温度調整手段の動作を強制的に停止させる安全手段と、
を具備したことを特徴とする請求項１〜請求項４のいずれか１つに記載の遊技機。
【請求項６】
前記安全手段が作動して前記温度調整手段を強制的に停止させたことを外部に報知する報知手段を具備したことを特徴とする請求項５記載の遊技機。
【請求項７】
前記温度調整手段の片面に当該温度調整手段で生じた熱を放出するための放熱手段を具備したことを特徴とする請求項１〜請求項６のいずれか１つに記載の遊技機。
【請求項８】
前記温度調整手段の両面に亘って取り付けられ、一方の面から他方の面に伝熱可能な中継手段を具備したことを特徴とする請求項１〜請求項７のいずれか１つに記載の遊技機。
【請求項９】
前記温度調整手段に専ら電力を供給可能な温度調整用電源装置を具備したことを特徴とする請求項１〜請求項８のいずれか１つに記載の遊技機。
【発明の詳細な説明】
【技術分野】
【０００１】
本発明は、所定の条件成立により遊技球やコイン等の遊技媒体の払出を行う遊技機に関するものである。
【背景技術】
【０００２】
通常、例えば第１種とよばれるパチンコ遊技機においては、その遊技盤に可変表示装置や始動口等を具備し、該始動口に遊技球が入賞すると、可変表示装置に図柄を可変表示し、停止図柄が特定のものである場合（例えば３つの数字が揃った場合等）に「大当たり状態」となり、賞球として多数の遊技球を払出するとともに、ランプやフラッシュ等の点灯又は点滅、或いはスピーカ等からの効果音の出力を行って演出し得るよう構成されている。また、可変表示装置においては、上記の如く図柄の可変表示に加え、例えばキャラクタを表示させる等の演出表示が行われるよう構成されている。
【０００３】
然るに、従来、遊技盤に遊技球を打ち出すためのハンドル内に、該ハンドルを振動させる振動手段を設けたものが例えば特許文献１にて開示されている。かかる振動手段は、演出表示に応じたタイミングにてハンドルの一部（遊技者が把持する部位）を振動させるよう制御されており、可変表示装置における演出効果の更なる向上を図るためのものである。これにより、可変表示装置、ランプやフラッシュ等による視覚的演出効果、或いはスピーカからの効果音による聴覚的演出効果に加え、振動による感覚的演出効果を奏することができる。
【特許文献１】特開２００３−３８７３９号公報
【発明の開示】
【発明が解決しようとする課題】
【０００４】
しかしながら、近時において更なる斬新な演出効果が求められるに至っており、遊技者のあらゆる感覚を利用した演出の多様化が進んでいるのが実情であり、上記従来の演出効果のみでは不十分であるという問題があった。このため、本出願人は、従来の視覚的演出効果、聴覚的演出効果及び振動による感覚的演出効果とは異なる演出を行わせ、更に斬新な演出効果を奏する遊技機を検討した。
【０００５】
本発明は、このような事情に鑑みてなされたもので、温度変化の体感による感覚的演出効果を行わせることにより、より斬新な演出効果を奏することができる遊技機を提供することにある。
【課題を解決するための手段】
【０００６】
請求項１記載の発明は、所定の条件成立により遊技媒体の払出を行う遊技機において、遊技者が温度変化を体感可能とすべくペルチェ効果を利用して所望の温度に調整可能な温度調整手段と、所定の条件成立に基づいて前記温度調整手段の温度調整を制御する温度制御手段とを備えたことを特徴とする。
【０００７】
請求項２記載の発明は、請求項１記載の遊技機において、前記温度調整手段の温度変化を伝達可能な温度体感部を具備するとともに、該温度体感部は遊技者が触れることが可能な部位に配設されたものであることを特徴とする。
【０００８】
請求項３記載の発明は、請求項２記載の遊技機において、前記温度体感部が銅から成ることを特徴とする。
【０００９】
請求項４記載の発明は、請求項１〜請求項３のいずれか１つに記載の遊技機において、前記温度調整手段は、遊技者が操作可能な操作入力手段の内部に配設されたことを特徴とする。
【００１０】
請求項５記載の発明は、請求項１〜請求項４のいずれか１つに記載の遊技機において、前記温度調整手段の温度を検出する温度検出手段と、該温度検出手段により検出された温度が設定値以外となった場合に前記温度調整手段の動作を強制的に停止させる安全手段とを具備したことを特徴とする
【００１１】
請求項６記載の発明は、請求項５記載の遊技機において、前記安全手段が作動して前記温度調整手段を強制的に停止させたことを外部に報知する報知手段を具備したことを特徴とする。
【００１２】
請求項７記載の発明は、請求項１〜請求項６のいずれか１つに記載の遊技機において、前記温度調整手段の片面に当該温度調整手段で生じた熱を放出するための放熱手段を具備したことを特徴とする。
【００１３】
請求項８記載の発明は、請求項１〜請求項７のいずれか１つに記載の遊技機において、前記温度調整手段の両面に亘って取り付けられ、一方の面から他方の面に伝熱可能な中継手段を具備したことを特徴とする。
【００１４】
請求項９記載の発明は、請求項１〜請求項８のいずれか１つに記載の遊技機において、前記温度調整手段に専ら電力を供給可能な温度調整用電源装置を具備したことを特徴とする。
【発明の効果】
【００１５】
請求項１の発明によれば、ペルチェ効果を利用して所望の温度に調整可能な温度調整手段により遊技者が温度変化を体感可能として感覚的演出効果を行わせているので、より斬新な演出効果を奏することができる。
【００１６】
請求項２の発明によれば、温度調整手段の温度変化を温度体感部を介して遊技者に伝達するので、直に温度調整手段にて温度変化を体感させるものに比べ、安全性を向上させることができる。
【００１７】
請求項３の発明によれば、温度体感部が熱伝導率の高い銅から成るので、温度調整手段の温度変化をより効率的に遊技者に体感させることができる。
【００１８】
請求項４の発明によれば、温度調整手段は、遊技者が操作可能な操作入力手段の内部に配設されたので、当該操作入力手段を遊技者が操作する際に温度変化を体感させることができる。
【００１９】
請求項５の発明によれば、安全手段にて温度検出手段により検出された温度が設定値以外となった場合に温度調整手段の動作を強制的に停止させるので、遊技者に温度変化を体感させるに際して安全性をより向上させることができる。
【００２０】
請求項６の発明によれば、報知手段により安全手段が作動して温度調整手段を強制的に停止させたことを外部に報知するので、遊技機の管理者等に対して安全手段の作動をより早く認識させることができる。
【００２１】
請求項７の発明によれば、放熱手段により温度調整手段で生じた熱を放出するので、当該放熱手段が配設された面の過熱を防止し得るとともに温度変化の応答性を向上させることができる。
【００２２】
請求項８の発明によれば、中継手段により温度調整手段における一方の面から他方の面に伝熱可能とされているため、当該温度調整手段の非作動時でも両面の温度を自然と平均化させることができる。
【００２３】
請求項９の発明によれば、温度調整手段に専ら電力を供給可能な温度調整用電源装置を具備したので、温度調整手段により大きな電力を供給することができるとともに遊技機本体側へ供給される電力が不足する事態を回避することができる。
【発明を実施するための最良の形態】
【００２４】
以下、本発明の実施形態について図面を参照しながら具体的に説明する。
第１の実施形態に係るパチンコ遊技機は、図１及び図２に示すように、ガラス板２が取り付けられた前面枠３を有しており、かかるガラス板２から遊技者が遊技盤４を目視し得るよう構成されている。当該遊技盤４には、種々役物や複数の釘、或いは風車等が形成されている。尚、同図中符号６及び７は、遊技盤４に形成された始動口及び大入賞口を示している。
【００２５】
また、遊技盤４の略中央には、液晶表示装置等から成る図柄表示手段５が配設されており、その画面に所定の図柄や背景等を表示し得るようになっている。そして、始動条件が成立（例えば始動口６に遊技球が入賞）したときに、図柄を可変表示させ、特定の図柄が停止表示されることにより「大当たり」状態として大入賞口７を所定時間及びタイミングで開口させ、多数の遊技球を獲得できるよう構成されている。尚、かかる遊技球は本発明の遊技媒体を成している。
【００２６】
更に、パチンコ遊技機１の下方右隅部にはハンドル８（操作入力手段）が配設されており、該ハンドル８の操作により上皿９内の遊技球を遊技盤４へ打ち出すよう構成されている。また、パチンコ遊技機１の下部に形成された下皿１０には、遊技者が所定遊技中に押圧操作させ得るストップボタン１１（操作入力手段）が配設されており、例えば複数種のリーチ表示に亘ってルーレットを回動させ、ストップボタン１１の押圧操作にて当該ルーレットを停止させることにより所望のリーチを選択させるよう構成されている。
【００２７】
ここで、本実施形態に係るハンドル８は、図３及び図４に示すように、ペルチェ素子から成る温度調整手段１９を内在している。ハンドル８を具体的に説明すると、コネクターカバー２５を介して第２カバー部材２４がパチンコ遊技機１の下方右隅部に取り付けられるとともに、該第２カバー部材２４の正面側にレバー３９、ベース部材３３及び第１カバー部材２３が順次取り付けられて構成されている。このうちレバー３９は、ブッシュ２７を介して第２カバー部材２４に取り付けられており、バネ３７により付勢されつつ他の構成部材に対して回動自在とされている。
【００２８】
即ち、ベース部材３３には発射強度ボリューム３１が配設されるとともに、その作動部３１ａがレバー３９と連動するよう取り付けられており、レバー３９の回動操作と共に作動部３１ａも回動し、その回転角度に応じた発射強度にて遊技球を遊技盤４へ打ち出し可能とされている。尚、発射強度ボリューム３１の本体は、ワッシャ３５及びナット３６にてベース部材３３に固定されている一方、その作動部３１ａの突端側がゴム材から成る防振部材３８を介してレバー３９に固定されている。
【００２９】
また、ベース部材３３には、遊技者がハンドル８を把持したことを検知するためのタッチプレート３０、単発打ちのためのスイッチレバー３４及び該スイッチレバー３４の操作によりスイッチングする単発打ちスイッチ３２が配設されており、図示しないネジにより第２カバー部材２４に取り付けられている。そして、第２カバー部材２４、レバー３９及びベース部材３３の正面側を覆うように第１カバー部材２３が固定されている。
【００３０】
かかる第１カバー部材２３には開口２３ａが形成されており、該開口２３ａに例えば銅等から成る熱電導率の高い温度体感部２６が挿通して配設されている。即ち、開口２３ａに温度体感部２６を臨ませつつ、その背面に形成された凹部２６ａにペルチェ素子から成る温度調整手段１９の表面を接触させつつ挿通させ、更に温度調整手段１９の背面に接触させつつ放熱手段としてのヒートシンク２８を配設している。これら温度体感部２６、温度調整手段１９及びヒートシンク２８は、ベース２９により第１カバー部材２３に固定されている。
【００３１】
ここで、ペルチェ素子とは、板状の半導体から成るもので、表面及び裏面に亘って電流を流すことによりそれぞれの面を加温又は冷却させ得るもので、電流の向きを変えることにより加温される面と冷却される面とが反転するよう構成されたものである。このように、表面及び裏面に亘って電流を流すことによりそれぞれの面を加温又は冷却させるとともに、電流の向きを変えることにより加温される面と冷却される面とが反転する作用をペルチェ効果ということとする。
【００３２】
これにより、後述する温度制御基板１７（温度制御手段）からの信号に基づいた所定タイミングにて温度調整手段１９の表面（温度体感部２６と接触した面）を加温又は冷却させれば、温度体感部２６にその温度変化が伝達され、当該温度体感部２６に触れた遊技者に対して温度変化を体感させることができる。また、温度調整手段１９の表面を冷却させた際には裏面が発熱して加温されており、かかる裏面と接触したヒートシンク２８により生じた熱を放出可能とされている。
【００３３】
上記構成により、温度調整手段１９による温度変化を温度体感部２６を介して遊技者に伝達させ体感させるので、直に温度調整手段１９にて温度変化を体感させるものに比べ、安全性を向上させることができる。また、温度体感部部２６を熱伝導率の極めて高い銅にて構成すれば、温度調整手段１９の温度変化をより効率的に遊技者に体感させることができる。尚、温度調整手段１９におけるヒートシンク２８が配設された面の過熱を防止し得るとともに、生じた熱を素早く放出することができるので、温度変化の応答性を向上させることができる。
【００３４】
更に、図４に示すように、温度体感部２６の背面２６ｂがヒートシンク２８の表面と接触しているため、温度調整手段１９における一方の面から他方の面に伝熱可能となっており、温度調整手段１９の非作動時でも両面の温度を自然と平均化させ得るよう構成されている。尚、温度調整手段１９の両面に亘って取り付けられた熱伝導率の高い別途の部材（中継手段）を配設し、当該温度調整手段１９の一方の面から他方の面に伝熱可能とするよう構成してもよい。
【００３５】
また更に、ヒートシンク２８には温度調整手段１９の温度を検出するための温度検出手段１８が配設されており、検出された温度情報が図示しない配線を介して後述する安全手段２０に伝達されるよう構成されている。尚、本実施形態における温度検出手段１８は、ヒートシンク２８の背面側（放熱面側）に配設され、当該ヒートシンク２８を介在させた温度を検出しているが、温度調整手段１９の温度を検出し得る位置であれば、他の位置に配設するようにしてもよい。
【００３６】
パチンコ遊技機１の裏面側には、図２に示すように、メイン基板１３、図柄制御基板１４、ランプ制御基板１５、音声制御基板１６及び温度制御基板１７（温度制御手段）が配設されており、各基板はそれぞれ透明樹脂から成るケース内に収容されつつ所定の基板や素子と電気的に接続されている。具体的には、メイン基板１３と図柄制御基板１４及び温度制御基板１７とが接続されて当該メイン基板１３の出力信号或いは制御信号を図柄制御基板１４及び温度制御基板１７にそれぞれ送信し得るよう構成されているとともに、図柄制御基板１４とランプ制御基板１５及び音声制御基板１６とが接続されて当該図柄制御基板１４の出力信号或いは制御信号をランプ制御基板１５及び音声制御基板１６にそれぞれ送信し得るよう構成されている。
【００３７】
メイン基板１３は、パチンコ遊技機１全般に亘る遊技内容を制御するもので、同図の如く、ＣＰＵや該ＣＰＵに接続されたＲＯＭ及びＲＡＭ等で主に構成されている。尚、ＣＰＵは、始動口６への入賞を検出する始動スイッチや始動口６を開閉動作させるための始動口ソレノイド、大入賞口７への入賞を検出する大入賞口スイッチ、継続スイッチ、大入賞口７を開閉動作させる大入賞口ソレノイド、普通入賞口ＳＷ１、ＳＷ２とそれぞれＩ／Ｏを介して接続されている。
【００３８】
図柄制御基板１４は、図柄表示手段５を制御してその画面に所定の図柄や背景或いは演出のためのキャラクタ等を表示させるもので、メイン基板１３と同様、ＣＰＵや該ＣＰＵに接続されたＲＯＭ及びＲＡＭ、更にはフラッシュＲＯＭ等で主に構成されている。かかるＣＰＵは、Ｉ／Ｏを介してメイン基板１３のＣＰＵと接続される一方、図柄表示手段５とも接続されている。
【００３９】
ランプ制御基板１５は、上記基板と同様に、不図示のＣＰＵ及びＲＯＭやＲＡＭ等で構成され、装飾ＬＥＤ、ガラス枠ランプ及びサイドランプ等とＩ／Ｏを介して接続されて、これらランプ等の点灯又は点滅動作を制御するものである。また、音声制御基板１６は、不図示のＲＯＭ及びＲＡＭと接続されたＣＰＵがＩ／Ｏを介してスピーカ１２と電気的に接続されており、当該スピーカ１２からの出力を所定のタイミングで行わせるよう制御するものである。上記図柄制御基板１４による図柄表示手段５にて行われる表示、及びランプ制御基板１５や音声制御基板１６の制御により、視覚的或いは聴覚的演出効果を奏することができる。
【００４０】
温度制御基板１７は、所定の条件成立に基づいてハンドル８に配設された温度調整手段１９の温度調整を制御するもので、同図の如く、ＣＰＵや該ＣＰＵに接続されたＲＯＭ及びＲＡＭ等で主に構成されているとともに、内在するＣＰＵがメイン基板１３のＣＰＵとＩ／Ｏを介して電気的に接続されている。また、温度調整手段１９は、当該温度調整手段１９に専ら電力を供給可能な温度調整用電源装置２２と接続されており、かかる温度調整用電源装置２２は、温度制御基板１７と電気的に接続されている。これにより、メイン基板１３の指示に基づいて温度調整手段１９に供給される電力供給のタイミング及び電力供給の際の電流の向きを制御することができるので、所望タイミングで温度調整手段１９の表面を加温又は冷却させることができる。
【００４１】
更に、温度制御手段１７は、ハンドル８が内在する温度検出手段１８とＩ／Ｏを介して電気的に接続されている一方、当該温度検出手段１８は安全手段２０と電気的に接続されている。かかる安全手段２０は、温度調整用電源装置２２とも電気的に接続されており、温度検出手段１８により検出された温度が設定値以外となった場合に当該温度調整用電源装置２２からの電力の供給を停止することにより、温度調整手段１９の動作（発熱作用）を強制的に停止させるものである。これにより、過熱或いは過冷却を確実に防止でき、遊技者に温度変化を体感させるに際して安全性をより向上させることができる。
【００４２】
また更に、安全手段２０は報知手段２１と電気的に接続されている。かかる報知手段２１は、安全手段２０が作動して温度調整手段１９を強制的に停止させたことを外部に報知するためのもので、例えば図柄表示手段５や別途の表示手段で表示することによる報知、スピーカ１２等により音声や効果音を出力することによる報知、装飾ランプや別途設けたＬＥＤ等を点灯又は点滅させることによる報知の何れであってもよい。このように、報知手段２１によって外部に報知が行われるので、遊技機の管理者等に対して安全手段の作動をより早く認識させることができる。
【００４３】
次に、温度調整手段１９に対する温度変化の処理方法について図５のフローチャートに基づいて説明する。
まず、メイン基板１３が始動条件の成立（始動口６への遊技球の入賞）の有無を判別し（Ｓ１）、成立したと判定された場合はＳ２へ進んで、温度体感演出を実行すべきか否かを判定する（Ｓ２）。ここで、温度体感演出を行うべきタイミングであると判定されると、所定の信号が温度制御基板１７へ送られ、当該温度制御基板１７による温度調整手段１９に対する制御が行われることとなる。
【００４４】
Ｓ２において温度制御基板１７に信号が送られると、温度調整用電源装置２２から温度調整手段１９に電力が供給され、該温度調整手段１９の表面が加温又は冷却される（Ｓ３）。そして、Ｓ４に進み、温度検出手段１８にて検出された温度に基づき、温度体感部２６（即ち、温度調整手段１９の表面）が予め設定された温度に達したか否かが判定され、当該温度に達するまで温度調整手段１９に対する電力供給が行われる。然るに、設定温度に達したと判定されると、Ｓ５へ進み、温度調整用電源装置２２による電力供給を停止して温度変化による体感演出を終了する。
【００４５】
その後、温度調整手段１９に対する電力供給を演出時とは逆向きの電流にて行い、表面が加温されていた場合には冷却する一方、冷却されていた場合には加温する（Ｓ６）。そして、温度検出手段１８にて検出された温度に基づき、温度体感部２６（即ち、温度調整手段１９の表面）が平常温度（通常の温度）に達したか否かが判定され（Ｓ７）、当該平常温度に達していると判定されれば、一連の制御が終了することとなる。これにより、所定の遊技条件の成立に基づいて温度変化による演出を遊技者に体感させることができる。
【００４６】
次に、安全手段２０における処理方法について図６のフローチャートに基づき説明する。
まず、温度検出手段１８にて設定値以外の温度（異常温度）が検出されると（Ｓ１）、安全手段２０が作動し（Ｓ２）、温度調整用電源装置２２による電源供給を停止して温度調整手段１９への電力供給を強制的に停止させる（Ｓ３）。その後、報知手段２１に所定の信号を送り、当該報知手段２１による報知を行うことにより、外部の管理者等に対して安全手段２０により温度調整手段１９が強制的に停止したことを報知する。
【００４７】
次に、本発明に係る第２の実施形態について説明する。
本実施形態のパチンコ遊技機は、第１の実施形態の如くハンドル８に温度調整手段１９を内在させたものに代え、図７に示すように、ストップボタン１１（操作入力手段）に温度調整手段１９を内在させたものから成る。かかるストップボタン１１は、パネル４１に挿通されたボタン軸部材４０、該ボタン軸部材４０の正面側に配設された温度体感部２６、パネル４１を取付可能とされたカバー４５から主に構成され、カバー４５がパチンコ遊技機１の下皿１０における所定位置（図１参照）に固定されて成るものである。
【００４８】
温度体感部２６は、第１の実施形態と同様、銅等熱電導率の高いものから成り、背面側に温度調整手段１９を収容するための凹部２６ａが形成されている。この温度調整手段１９の表面は凹部２６ａに収容されつつ温度体感部２６と接触して組み付けられる一方、背面がヒートシンク２８と接触して組み付けられる。かかるヒートシンク２８の放熱面側には温度検出手段１８が配設され、当該ヒートシンク２８を介して温度調整手段１９の温度を検出し得るようになっている。
【００４９】
また、パネル４１の背面側にはセンサ台４４が配設され、該センサ台４４にはフォトセンサ４３を有する基板４２が組み付けられる。これにより、遊技者が温度体感部２６を介してボタン軸部材４０を押圧操作すれば、その変位をフォトセンサ４３が非接触にて検知し、例えば図柄表示手段５で表示されたルーレット等を所望タイミングで停止させることができるよう制御される。尚、ボタン軸部材４０は、図示しないリターンスプリングにて押圧操作の終了とともに初期位置に戻るよう構成されている。
【００５０】
ここで、温度体感部２６は、温度調整手段１９による温度変化が伝達され、押圧操作する遊技者に対して当該温度変化による体感演出を行わせることができる。かかる温度調整手段１９に対する温度変化の制御、及び温度検出手段１８が異常温度を検出した際の制御等は、第１の実施形態と同様である。また、温度体感部２６の背面をヒートシンク２８の表面に接触させることにより、温度調整手段１９における一方の面から他方の面に伝熱可能とし、当該温度調整手段１９の非作動時でも両面の温度を自然と平均化させるようにするのが好ましい。
【００５１】
次に、本発明に係る第３の実施形態について説明する。
本実施形態に係るパチンコ遊技機は、第１及び第２の実施形態の如くハンドル８やストップボタン１１に温度調整手段１９を内在させたものに代え、図８に示すように、下皿１０を銅等熱電導率が高いもので構成して温度体感部２６とし、これに温度調整手段１９の表面を接触させたものから成る。また、温度調整手段１９の背面（上皿１０と接触した面とは反対の面）には、ヒートシンク２８及が配設されており、該ヒートシンク２８には温度検出手段１８が配設されている。然るに、温度調整手段１９による温度変化を第１の実施形態と同様の温度制御基板１７にて行わせれば、所定の遊技条件の成立に基づいて温度変化による演出を下皿１０に触れた遊技者に体感させることができる。
【００５２】
以上、第１〜第３の実施形態によれば、ペルチェ効果を利用して所望の温度に調整可能な温度調整手段１９により遊技者が温度変化を体感可能として感覚的演出効果を行わせているので、光や音、或いは振動といった従来の演出に比べ、より斬新な演出効果を奏することができる。また、温度調整手段１９がペルチェ素子から成るので、供給される電流の向きを変えることにより加温又は冷却を瞬時に行わせることができるとともに、少スペースで温度変化による演出を行わせることができる。
【００５３】
更に、温度調整手段１９に専ら電力を供給可能な温度調整用電源装置を具備したので、温度調整手段により大きな電力を供給することができるとともに遊技機本体側へ供給される電力が不足する事態を回避することができる。また特に、第１及び第２の実施形態によれば、ハンドルやストップボタンといった遊技者が操作可能な操作入力手段の内部に温度調整手段が配設されているので、当該操作入力手段を遊技者が操作する際に温度変化を体感させることができる。
【００５４】
以上、本実施形態について説明したが、本発明はこれらに限定されず、例えば温度調整手段を他のペルチェ効果を利用して所望温度に調整可能な部材としてもよく、或いは温度調整用電源装置を廃してパチンコ遊技機に供給される電力を温度調整手段に供給するようにしてもよい。また、温度調整手段による温度変化のタイミングは、図柄表示手段で演出されるリーチ演出と連動させたり、或いは大当たりの際の演出と連動させたりすることができ、そのときの温度変化は急激であっても、徐々に時間をかけてもよい。更に、本実施形態においては、パチンコ遊技機に適用しているが、スロットマシン等所定の条件成立により遊技媒体の払出を行う他の遊技機に適用することができる。
【産業上の利用可能性】
【００５５】
ペルチェ効果を利用して所望の温度に調整可能な温度調整手段により遊技者が温度変化を体感可能として感覚的演出効果を行わせる遊技機であれば、外観や機能等種々の形態のものに適用することができる。
【図面の簡単な説明】
【００５６】
【図１】本発明の実施形態に係るパチンコ遊技機を示す正面図
【図２】本発明の第１の実施形態に係るパチンコ遊技機を示すブロック図
【図３】同パチンコ遊技機におけるハンドルを示す分解斜視図
【図４】同パチンコ遊技機におけるハンドルを示す縦断面図
【図５】同パチンコ遊技機におけるメイン基板及び温度制御基板の処理内容を示すフローチャート
【図６】同パチンコ遊技機における安全手段の処理内容を示すフローチャート
【図７】本発明の第２の実施形態に係るパチンコ遊技機におけるストップボタンを示す分解斜視図
【図８】本発明の第３の実施形態に係るパチンコ遊技機における下皿を示す分解斜視図
【符号の説明】
【００５７】
１    パチンコ遊技機
２    ガラス板
３    前面枠
４    遊技盤
５    図柄表示手段
６    始動口
７    大入賞口
８    ハンドル（操作入力手段）
９    上皿
１０  下皿
１１  ストップボタン（操作入力手段）
１２  スピーカ
１３  メイン基板
１４  図柄制御基板
１５  ランプ制御基板
１６  音声制御基板
１７  温度制御基板（温度制御手段）
１８  温度検出手段
１９  温度調整手段（ペルチェ素子）
２０  安全手段
２１  報知手段
２２  温度調整用電源装置
２３  第１カバー部材
２４  第２カバー部材
２５  コネクターカバー
２６  温度体感部
２７  ブッシュ
２８  ヒートシンク（放熱手段）
２９  ベース
３０  タッチプレート
３１  発射強度ボリューム
３２  単発打ちスイッチ
３３  ベース部材
３４  スイッチレバー
３５  ワッシャ
３６  ナット
３７  バネ
３８  防振部材
３９  レバー
４０  ボタン軸部材
４１  パネル
４２  基板
４３  フォトセンサ
４４  センサ台
４５  カバー
【図１】
2005168824.tif 000003
【図２】
2005168824.tif 000004
【図３】
2005168824.tif 000005
【図４】
2005168824.tif 000006
【図５】
2005168824.tif 000007
【図６】
2005168824.tif 000008
【図７】
2005168824.tif 000009
【図８】
2005168824.tif 000010